(57)【要約】【課題】  地域に応じて変化する水質によって、腐食誘発物質やスケール生成物質や人体へ悪影響を及ぼす物質を含んだ水を給湯水として使用しても、給湯回路中へ上記物質流入の防止や削減した、或いは給湯回路構成材料を破損させない耐久性の優れたヒートポンプ給湯システムを提供する。【解決手段】  給水部にイオン吸着フィルターを取付けたことにより、腐食誘発物質やスケール生成物質や人体に悪影響を及ぼす物質を吸着し、給湯回路内に上記物質流入の防止及び削減をした水を給湯回路に供給する。【選択図】  図１
2005315481.tif 000002
【特許請求の範囲】
【請求項１】
圧縮機と給湯熱交換器と膨張弁と大気熱交換器とを冷媒配管で接続したヒートポンプ冷媒回路と、給水部と給湯熱交換器と貯湯用のサポートタンクと浴槽等に代表される水使用端末とを水配管で接続した給湯回路と、運転制御手段を備え、前記給湯回路は給水部にフィルターを備え、給湯回路構成材料の耐食性向上及び安定した水質を有する水を給湯回路内に供給することを特徴とするヒートポンプ給湯システム。
【請求項２】
圧縮機と給湯熱交換器と膨張弁と大気熱交換器とを冷媒配管で接続したヒートポンプ冷媒回路と、給水部と給湯熱交換器と貯湯用のサポートタンクと浴槽等に代表される水使用端末とを水配管で接続した給湯回路と、運転制御手段を備え、前記給湯回路は給水部の給水口の後工程側に取付けてある減圧弁の直後にフィルターを備え、給湯回路構成材料の耐食性向上及び安定した水質を有する水を給湯回路内に供給することを特徴とするヒートポンプ給湯システム。
【請求項３】
圧縮機と給湯熱交換器と膨張弁と大気熱交換器とを冷媒配管で接続したヒートポンプ冷媒回路と、給水部と給湯熱交換器と貯湯用のサポートタンクと浴槽等に代表される水使用端末とを水配管で接続した給湯回路と、運転制御手段を備え、前記給湯回路は給水部の給水口の後工程側に取付けてある減圧弁の直前にフィルターを備え、給湯回路構成材料の耐食性向上及び安定した水質を有する水を給湯回路内に供給することを特徴とするヒートポンプ給湯システム。
【請求項４】
請求項１〜３のいずれかに記載のヒートポンプ給湯システムにおいて、前記フィルターはイオン吸着機能を有し、給水口から供給された水中に含まれる給湯回路構成材料に対して腐食を促進する物質（イオン）を吸着することを特徴とするヒートポンプ給湯システム。
【請求項５】
請求項１〜３のいずれかに記載のヒートポンプ給湯システムにおいて、前記フィルターはイオン吸着機能を有し、給水口から供給された水中に含まれる給湯回路構成材料に対して腐食を促進する物質（イオン）の中でＳＯ４２−を吸着することを特徴とするヒートポンプ給湯システム。
【請求項６】
請求項１〜３のいずれかに記載のヒートポンプ給湯システムにおいて、前記フィルターはイオン吸着機能を有し、給水口から供給された水中に含まれる給湯回路構成材料に対して腐食を促進する物質（イオン）の中で遊離炭酸を吸着することを特徴とするヒートポンプ給湯システム。
【請求項７】
請求項１〜３のいずれかに記載のヒートポンプ給湯システムにおいて、前記フィルターはイオン吸着機能を有し、給水口から供給された水中に含まれる給湯回路構成材料に対して腐食を促進する物質（イオン）の中でＳｉＯ２を吸着することを特徴とするヒートポンプ給湯システム。
【請求項８】
請求項１〜３のいずれかに記載のヒートポンプ給湯システムにおいて、前記フィルターはイオン吸着機能を有し、給水口から供給された水中に含まれる給湯回路構成材料に対して腐食を促進する物質（イオン）の中でＣｌ−を吸着することを特徴とするヒートポンプ給湯システム。
【発明の詳細な説明】
【技術分野】
【０００１】
本発明は、給湯回路構成材料の腐食防止のために原水中に含まれる腐食誘発物質を給水工程で除去或いは減少させた、大気熱をヒートポンプサイクルの熱源として冷媒で給湯水の過熱を行なうヒートポンプ給湯機に関するものである。
【背景技術】
【０００２】
従来、この種のヒートポンプ給湯システムとしては例えば、特開昭６０−２２１６６１号公報に記載されているようなものがあった。図４は前記公報に記載された従来のヒートポンプ給湯システムを示すものである。図４に示すヒートポンプ給湯システムにおいて、１は圧縮機、２は圧縮機１から吐出された冷媒が循環するヒートポンプ冷媒回路、３は膨張弁、８は貯水槽、６ｃは貯水槽８へ水を給水する給水配管、８ａは貯水槽８から沸き上げた給湯水を出水する出水配管、９は貯水槽８の給湯水とヒートポンプ冷媒回路２の冷媒が熱交換する給湯熱交換器、１０は貯水槽８の給湯水が給湯熱交換器９との間で循環する給湯回路、１１は給湯回路１０の給湯水を搬送する水ポンプ、４は大気とヒートポンプ冷媒回路２の冷媒が熱交換する大気熱交換器、５は大気熱交換器４と大気の送風手段から成る室外ユニット、１２は給湯熱交換器９で加熱される給湯水の温度を検知する温度センサー、１３は外気温度を検知する温度センサー、１４は圧縮機１、水ポンプ１１、室外ユニット５等の動作を制御する運転制御手段である。上記構成において、大気熱をヒートポンプサイクルの熱源として、貯水槽８の給湯水を冷媒で過熱するときは、以下のような運転を行う。まず、室外ユニット５の送風手段を駆動して、大気を大気熱交換器４へ搬送する。そして、圧縮機１を駆動させてヒートポンプ冷媒回路２の冷媒を、圧縮機１、給湯熱交換器９、膨張弁３、大気熱交換器４、圧縮機１の順に搬送する。圧縮機１から吐出された高温高圧の冷媒は、給湯熱交換器９で給湯水と熱交換して保有するエネルギーを給湯水へ放熱する。その後、膨張弁３で減圧されて低温低圧となった冷媒は、大気熱交換器４で大気熱を吸熱し、圧縮機１に吸入される。給湯熱交換器９で冷媒のエネルギーを受熱して高温に沸き上げられた給湯水は、給湯回路１０より貯水槽８に戻される。また、給湯熱交換器９で過熱する給湯水の温度は、所定の温度、或いは使用者の給湯負荷等に応じて決定される。
【０００３】
【特許文献１】特開昭６０−２２１６６１号公報
【発明の開示】
【発明が解決しようとする課題】
【０００４】
しかしながら、前記従来の構成では、地域に応じて水質は多岐に及ぶため、酸性水またはアルカリ性水を給湯水として利用した場合は、給湯熱交換器９の伝熱面、貯水槽、及び配管材料が破損するという課題を有していた。特に、給湯水中に含有されるＳＯ４２−は、赤水の原因となったり配管材として使用されている銅管に対して腐食と硫酸カルシウムスケール生成の原因となり、人体への悪影響や配管からの洩れや配管詰まりを生じる。遊離炭酸は、赤水や銅管腐食の原因となり、人体への悪影響や配管からの洩れを生じる。ＳｉＯ２は、珪酸カルシウムスケール生成により、配管詰まりを生じる。Ｃｌ−は、貯水槽に使用されているステンレス材料の腐食原因となり、貯水槽からの洩れを生じる。更に、火山地付近地域や温泉地付近地域や海岸付近の水、井戸水においては上水と比較して上記物質を多量に含んでいることから、これらの地域には従来の給湯システムからなる給湯機は設置しないことが原則となっている。
【０００５】
よって本発明は、地域に応じて変化する水質によって腐食誘発物質、スケール生成物質、或いは人体への悪影響原因物質が含まれる水を給湯水として使用しても、給湯回路中への上記物質流入の防止及び削減、或いは給湯回路構成材料を破損させない耐久性の優れたヒートポンプ給湯システムを提供すること、全国至る場所においても設置可能なヒートポンプ給湯システムを提供することを目的とする。
【課題を解決するための手段】
【０００６】
本発明は上記課題を解決するために、圧縮機と給湯熱交換器と膨張弁と大気熱交換器とを冷媒配管で接続したヒートポンプ冷媒回路と、給水部と貯湯用のサポートタンクと浴槽等に代表される水使用端末とを水配管で接続した給湯回路と、運転制御手段を備え、前記給湯回路は給水部にフィルターを取付け、給湯回路構成材料の耐食性向上及び安定した水質を有する水を給湯回路内に供給することを特徴とするヒートポンプ給湯システムとしたものである。これによって地域に応じて変化する水質によって腐食誘発物質、スケール生成物質、或いは人体への悪影響原因物質が含まれる水を給湯水として使用しても、給湯回路中への上記物質流入の防止及び削減或いは給湯回路構成材料を破損させない耐久性の優れたヒートポンプ給湯システムを提供すること、日本全国の至る場所においても設置可能なヒートポンプ給湯システムを提供することができる。
【発明の効果】
【０００７】
本発明によれば給水部にイオン吸着機能を有するフィルターを取付けたので、給湯回路構成材料に対して腐食を促進する物質、スケール生成を促進する物質、或いは人体に悪影響を及ぼす物質であるＳＯ４２−や遊離炭酸やＳｉＯ２やＣｌ−を給湯回路への流入防止或いは削減が図れ、耐久性に優れたヒートポンプ給湯システムとすることができる。更に、上記物質を多量に含む水質である温泉地付近地域、火山付近地域、海岸付近地域、井戸水を使用する地域では原則的に設置不可能であったが、本発明により設置可能となった。
【発明を実施するための最良の形態】
【０００８】
請求項１に記載の発明は、圧縮機と給湯熱交換器と膨張弁と大気熱交換器とを冷媒配管で接続したヒートポンプ冷媒回路と、給水部と給湯熱交換器と貯湯用のサポートタンクと浴槽等に代表される水使用端末とを水配管で接続した給湯回路と、運転制御手段を備え、前記給湯回路は給水部にフィルターを取付け、給湯回路構成材料の耐食性向上及び安定した水質を有する水を給湯回路に供給することを特徴とするヒートポンプ給湯システムとすることにより、前記給水部は給湯水として使用する水に含まれる物質で、給湯回路構成材料に対して腐食を誘発する物質、スケール生成を促進する物質、人体に悪影響を及ぼす物質をフィルターを通過する際に吸着することにより、給湯回路への流入の防止、或いは削減が可能となる。従って、地域に応じて変化する水質によって腐食誘発物質、スケール生成物質、或いは人体への悪影響原因物質が含まれる水を給湯水として使用しても、給湯回路中への上記物質流入の防止及び削減をした、或いは給湯回路構成材料を破損させない耐久性の優れたヒートポンプ給湯システムとすること、日本全国至る場所のおいても設置可能なヒートポンプ給湯システムとすることができる。
【０００９】
請求項２に記載の発明は、圧縮機と給湯熱交換器と膨張弁と大気熱交換器とを冷媒配管で接続したヒートポンプ冷媒回路と、給水部と給湯熱交換器と貯湯用のサポートタンクと浴槽等に代表される水使用端末とを水配管で接続した給湯回路と、運転制御手段を備え、前記給湯回路は給水部の給水口の後工程側に取付けてある減圧弁の直後のフィルターを取付け、給湯回路構成材料の耐食性向上、及び安定した水質を有する水を給湯回路に供給することを特徴とするヒートポンプ給湯システムとすることにより、前記給水部は給湯水として使用する水に含まれる物質で給湯回路構成材料に対して腐食を誘発する物質、スケール生成を促進する物質、人体に悪影響を及ぼす物質をフィルターを通過する際に吸着することにより、給湯回路への流入の防止、或いは削減が可能となる。また、減圧弁は消耗品であり、一定周期毎に交換する必要がある。この際の作業性を考慮してフィルターの取付け位置を減圧弁の直後とした。従って、地域に応じて変化する水質によって腐食誘発物質、スケール生成物質、或いは人体への悪影響原因物質が含まれる水を給湯水として使用しても、給湯回路中への上記物質流入の防止及び削減をした、或いは給湯回路構成材料を破損させない耐久性の優れたヒートポンプ給湯システムとすること、日本全国至る場所においても設置可能なヒートポンプ給湯システムとすることができる。
【００１０】
請求項３に記載の発明は、圧縮機と給湯熱交換器と膨張弁と大気熱交換器とを冷媒配管で接続したヒートポンプ冷媒回路と、給水部と給湯熱交換器と貯湯用のサポートタンクと浴槽等に代表される水使用端末とを水配管で接続した給湯回路と、運転制御手段を備え、前記給湯回路は給水部の給水口の後工程側に取付けてある減圧弁の直前にフィルターを取付け、給湯回路構成材料の耐食性向上及び安定した水質を有する水を給湯回路内に供給することを特徴とするヒートポンプ給湯システムとすることにより、前記給水部は給湯水として使用する水に含まれる物質で給湯回路構成材料に対して腐食を誘発する物質、スケール生成を促進する物質、人体に悪影響を及ぼす物質をフィルターを通過する際に吸着することにより、給湯回路への流入の防止、或いは削減が可能となる。また、フィルターは減圧弁の直前（給水口の直後）に取付けることにより、水質改善した給湯水の流れるエリアが最大となる。従って、地域に応じて変化する水質によって腐食誘発物質、スケール生成物質、或いは人体への悪影響物質が含まれる水を給湯水として使用しても、給湯回路中への上記物質流入の防止及び削減をした、或いは給湯回路構成材料を破損させない耐久性の優れたヒートポンプ給湯システムとすること、日本全国至る場所においても設置可能なヒートポンプ給湯システムとすることができる。
【００１１】
請求項４に記載の発明は、給水部に取付けられたフィルターはイオン吸着機能を有し、給水口から供給された水中に含まれる給湯回路構成材料に対して腐食を促進する物質（イオン）を吸着することが可能であることを特徴とする請求項１〜３に記載のヒートポンプ給湯システムとすることにより、前記給水部は給湯水として使用する水に含まれる物質で給湯回路構成材料に対して腐食を誘発する物質、スケール生成物質、人体への悪影響を及ぼす物質をフィルターを通過する際にフィルターの有する吸着機能によってイオン吸着をするため、給湯回路への流入防止、或いは削減が可能となる。従って、地域に応じて変化する水質によって腐食誘発物質、スケール生成物質、或いは人体への悪影響原因物質が含まれる水を給湯水として使用しても、給湯回路中への上記物質流入の防止及び削減をした、或いは給湯回路構成材料を破損させない耐久性の優れたヒートポンプ給湯システムとすること、日本全国至る場所においても設置可能なヒートポンプ給湯システムとすることができる。
【００１２】
請求項５に記載の発明は、給水部に取付けられたフィルターはイオン吸着機能を有し、給水口から供給された水中に含まれる給湯回路構成材料に対して腐食を促進する物質（イオン）の中でＳＯ４２−を吸着することが可能であることを特徴とする請求項１〜３に記載のヒートポンプ給湯システムとすることにより、前記給水部は給湯水として使用する水に含まれる物質で銅管の孔食を誘発するイオン、或いは赤水の原因となるイオンであるＳＯ４２−をフィルターを通過する際にフィルターの有する吸着機能によってイオン吸着をするため、給湯回路への流入防止、あるいは削減が可能となる。従って、温泉地付近地域の水や井戸水といった銅管に対して孔食の誘発を促進するＳＯ４２−を多量に含む水質を有する水を給湯水として使用しても、給湯回路中への上記物質流入の防止及び削減をした、或いは給湯回路構成材料（特に銅管）を破損させない耐久性の優れたヒートポンプ給湯システムとすること、従来ではＳＯ４２−を多量に含むため銅管孔食促進による配管もれの危険性が高く、原則的に設置不可能であった温泉地付近地域、或いは井戸水を使用する場合においても設置可能なヒートポンプ給湯システムとすることができる。
【００１３】
請求項６に記載の発明は、給水部に取付けられたフィルターはイオン吸着機能を有し、給水口から供給された水中に含まれる給湯回路構成材料に対して腐食を促進する物質（イオン）の中で遊離炭酸を吸着することが可能であることを特徴とする請求項１〜３に記載のヒートポンプ給湯機とすることにより、前記給水部は給湯水として使用する水に含まれる物質で銅管の孔食を誘発する物質、或いは赤水の原因物質である遊離炭酸をフィルターを通過する際にフィルターの有する吸着機能によってイオン吸着をするため、給湯回路への流入防止、或いは削減が可能となる。従って、火山付近地域の水や井戸水といった銅管に対して孔食の誘発を促進する遊離炭酸を多量に含む水質を有する水を給湯水として使用しても、給湯回路中への上記物質流入の防止及び削減をした、或いは給湯回路構成材料（特に銅管）を破損させない耐久性の優れたヒートポンプ給湯システムとすること、従来では遊離炭酸を多量に含むため銅管孔食促進による配管もれの危険性が高く、原則的に設置不可能であった火山地付近地域や井戸水を使用する場合においても設置可能なヒートポンプ給湯システムとすることができる。
【００１４】
請求項７に記載の発明は、給水部に取付けられたフィルターはイオン吸着機能を有し、給水口から供給された水中に含まれる給湯回路構成材料に対して腐食を促進する物質（イオン）の中でＳｉＯ２を吸着することが可能であることを特徴とする請求項１〜３に記載のヒートポンプ給湯システムとすることにより、前記給水部は給湯水として使用する水に含まれる物質で、銅管内部に珪酸カルシウムスケール生成を誘発する物質であるイオン状のＳｉＯ２をフィルターを通過する際に、フィルターの有する吸着機能によってイオン吸着するため、給湯回路への流入防止、或いは削減が可能となる。従って、井戸水といった銅管に対してスケール生成の誘発を促進するＳｉＯ２を多量に含む水質を有する水を給湯水として使用しても、給湯回路中への上記物質流入の防止及び削減をした、或いは給湯回路構成材料（特に銅管）へのスケール生成による配管詰まりや破損をさせない耐久性の優れた給湯システムとすること、従来では、ＳｉＯ２を多量に含むため銅管内スケール生成促進による配管詰まりの危険性が高く、原則的に設置不可能であった井戸水を使用する場合においても設置可能なヒートポンプ給湯システムとすることができる。
【００１５】
請求項８に記載の発明は、給水部に取付けられたフィルターはイオン吸着機能を有し、給水口から供給された水中に含まれる給湯回路構成材料に対して腐食を促進する物質（イオン）の中でＣｌ−を吸着することが可能であることを特徴とする請求項１〜３に記載のヒートポンプ給湯システムとすることにより、前記給水部は給湯水として使用する水に含まれる物質で貯湯用のＳＵＳサポートタンク内部に孔食を誘発する物質であるＣｌ−をフィルターを通過する際にフィルターの有する吸着機能によってイオン吸着するため、給湯回路への流入防止、或いは削減が可能となる。従って、海岸付近や温泉地付近地域、工場排水混入があると思われる井戸水といったＳＵＳサポートタンクに対して孔食の誘発を促進するＣｌ−を多量に含む水質を有する水を給湯水として使用しても、給湯回路中への上記物質流入の防止及び削減をした、或いは給湯回路構成材料（特にＳＵＳサポートタンク）を破損させない耐久性の優れたヒートポンプ給湯システムとすること、従来ではＣｌ−を多量に含むためＳＵＳサポートタンク孔食促進によるもれ発生の危険性が高く、原則的に設置不可能であった海岸付近地域、温泉地付近地域、工場排水混入があると思われる井戸水を使用する場合においても設置可能なヒートポンプ給湯システムとすることができる。
【００１６】
以下、本発明の実施例について図面を用いて説明する。
【実施例１】
【００１７】
図１は、本発明の第１の実施例におけるヒートポンプ給湯システムの構成図を示すもので、１は圧縮機、２は圧縮機１から吐出された冷媒が循環するヒートポンプ冷媒回路、３は膨張弁、４は大気とヒートポンプ冷媒回路２が熱交換する大気熱交換器、５は大気熱交換器４と大気の送風手段からなる室外ユニット、６はヒートポンプ給湯システムへ給水する給水部、６ａは水道等の水供給手段とヒートポンプ給湯システムとを接続する給水口、６ｂはフィルター、６ｃは給水部６から給水された水を給水する給水配管、７は浴槽等に代表される水使用端末、８は貯水槽、８ａは貯水槽８の給湯水を水使用端末７へ出水する出水配管、９は給水部６の給湯水とヒートポンプ冷媒回路２の冷媒が熱交換する給湯熱交換器、１０は給水部６と水使用端末７と貯水槽８の給湯水が給湯熱交換器９との間で循環する給湯回路、１１は給湯回路１０の給湯水を搬送する水ポンプ、１２は給湯熱交換器９で加熱される給湯水の温度を検知する温度センサー、１３は外気温度を検知する温度センサー、１４は圧縮機１や水ポンプ１１や室外ユニット５等の動作を制御する運転制御手段である。ここで、フィルター６ｂはイオン吸着機能を有し、給水口６ａから供給された水中に含まれる物質で、給湯回路１０を構成する材料に対して腐食の促進、スケールの生成、人体への悪影響を及ぼす物質を吸着するという特徴を有している。このため、給湯回路１０を構成する材料や人体に対して悪影響を及ぼさない水質が給湯回路１０へ供給されるので、耐久性の優れたヒートポンプ給湯システムとすることができる。更に、温泉地付近地域や火山付近地域や海岸付近地域や井戸水といったように水質が悪く原則的に設置不可能であった地域においても設置が可能となる。フィルター６ｂによって吸着可能な物質としては次のようなものがある。（１）ＳＯ４２−遊離炭酸：銅管の孔食を促進するため、配管もれの危険性がある。赤水の原因となるため、人体に悪影響を及ぼす。（２）ＳｉＯ２：スケール生成を促進するため、配管詰まりの原因となる。（３）Ｃｌ−：貯水槽８の素材であるＳＵＳ材に対して孔食を促進するため、もれの危険性がある。
【実施例２】
【００１８】
図２は本発明の第２の実施例におけるヒートポンプ給湯システムの構成図を示すもので、１は圧縮機、２は圧縮機１から吐出された冷媒が循環するヒートポンプ冷媒回路、３は膨張弁、４は大気とヒートポンプ冷媒回路２が熱交換する大気熱交換器、５は大気熱交換器４と大気の送風手段からなる室外ユニット、６はヒートポンプ給湯システムへ給水する給水部、６ａは水道等の水供給手段とヒートポンプ給湯システムとを接続する給水口、６ｂはフィルター、６ｃは給水部６から給水された水を給水する給水配管、６ｄは減圧弁、７は浴槽等に代表される水使用端末、８は貯水槽、８ａは貯水槽８の給湯水を水使用端末７へ出水する出水配管、９は給水部６の給湯水とヒートポンプ冷媒回路２の冷媒が熱交換する給湯熱交換器、１０は給水部６と水使用端末７と貯水槽８の給湯水が給湯熱交換器９との間で循環する給湯回路、１１は給湯回路１０の給湯水を搬送する水ポンプ、１２は給湯熱交換器９で加熱される給湯水の温度を検知する温度センサー、１３は外気温度を検知する温度センサー、１４は圧縮機１や水ポンプ１１や室外ユニット５等の動作を制御する運転制御手段である。ここで、減圧弁６ｄはフィルター６ｂの直前に取付けてある。減圧弁６ｄは消耗品であり、一定周期毎に交換する必要がある。この際の作業性を考慮して給水部６の構成は給水口６ａ、減圧弁６ｄ、フィルター６ｂの順とした。尚、フィルター６ｂは減圧弁６ｄの直後に取付けてあり、給湯回路１０中には腐食促進、スケール生成、人体に悪影響を及ぼす物質は流入されないので、耐久性の優れたヒートポンプ給湯システムとすることができる。更に、温泉地付近地域や火山付近地域や海岸付近地域や井戸水といったように水質が悪く原則的に設置不可能であった地域においても設置が可能となる。
【実施例３】
【００１９】
図３は本発明の第３の実施例におけるヒートポンプ給湯システムの構成図を示すもので、１は圧縮機、２は圧縮機１から吐出された冷媒が循環するヒートポンプ冷媒回路、３は膨張弁、４は大気とヒートポンプ冷媒回路２が熱交換する大気熱交換器、５は大気熱交換器４と大気の送風手段からなる室外ユニット、６はヒートポンプ給湯システムへ給水する給水部、６ａは水道等の水供給手段とヒートポンプ給湯システムとを接続する給水口、６ｂはフィルター、６ｃは給水部６から給水された水を給水する給水配管、６ｄは減圧弁、７は浴槽等に代表される水使用端末、８は貯水槽、８ａは貯水槽８の給湯水を水使用端末７へ出水する出水配管、９は給水部６の給湯水とヒートポンプ冷媒回路２の冷媒が熱交換する給湯熱交換器、１０は給水部６と水使用端末７と貯水槽８の給湯水が給湯熱交換器９との間で循環する給湯回路、１１は給湯回路１０の給湯水を搬送する水ポンプ、１２は給湯熱交換器９で加熱される給湯水の温度を検知する温度センサー、１３は外気温度を検知する温度センサー、１４は圧縮機１や水ポンプ１１や室外ユニット５等の動作を制御する運転制御手段である。ここで、減圧弁６ｄはフィルター６ｂの直後に取付けてある。このため、水質改善した給湯水の流れるエリアが最大となる。よって、給湯回路１０中には腐食促進、スケール生成、人体に悪影響を及ぼす物質は流入されないので、耐久性の優れたヒートポンプ給湯システムとすることができる。更に、温泉地付近地域や火山付近地域や海岸付近地域や井戸水といったように水質が悪く原則的に設置不可能であった地域においても設置が可能となる。
【図面の簡単な説明】
【００２０】
【図１】給水部にイオン吸着機能を有するフィルターを取付けた本発明の実施例１におけるヒートポンプ給湯システムの構成図。
【図２】給水部にイオン吸着機能を有するフィルターを取付けた本発明の実施例２におけるヒートポンプ給湯システムの構成図。
【図３】給水部にイオン吸着機能を有するフィルターを取付けた本発明の実施例３におけるヒートポンプ給湯システムの構成図。
【図４】従来のヒートポンプ給湯システム構成図。
【符号の説明】
【００２１】
１…圧縮機、２…ヒートポンプ冷媒回路、３…膨張弁、４…大気熱交換器、５…室外ユニット、６…給水部、６ａ…給水口、６ｂ…フィルター、６ｃ…給水配管、６ｄ…減圧弁、７…水使用端末、８…貯水槽、８ａ…出水配管、９…給湯熱交換器、１０…給湯回路、１１…水ポンプ、１２，１３…温度センサー、１４運転制御手段。
【図１】
2005315481.tif 000003
【図２】
2005315481.tif 000004
【図３】
2005315481.tif 000005
【図４】
2005315481.tif 000006